(57)【要約】【課題】機能性を確保しつつ、美的外観に優れたペン立て具の装飾方法を提供することである。【解決手段】略半球状の台座部１２と、台座部１２の天井部に形成された凹部１３にペン先が挿入されて起立するペン部１４とを有するペン立て具１０の装飾方法であって、凹部１３を露出しつつ、プリーツ状の帯部２２が台座部１２を覆うように台座部１２に巻装する帯巻装工程と、起立するペン部１４が挿入可能な貫通孔を有する筒部２０を装着する筒装着工程とを備え、帯巻装工程は、帯部２２の上部を筒部２０に接着する。【選択図】図１
2019217710.tif 000002
【特許請求の範囲】
【請求項１】
略半球状の台座部と、前記台座部の天井部に形成された凹部にペン先が挿入されて起立するペン部とを有するペン立て具の装飾方法であって、
前記凹部を露出しつつ、プリーツ状の帯部が前記台座部を覆うように前記台座部に巻装する帯巻装工程を備えること特徴とするペン立て具の装飾方法。
【請求項２】
請求項１に記載のペン立て具の装飾方法において、
起立する前記ペン部が挿入可能な貫通孔を有する筒部を装着する筒装着工程を備え、
前記帯巻装工程は、前記帯部の上部を前記筒部に接着することを特徴とするペン立て具の装飾方法。
【請求項３】
請求項１または請求項２に記載のペン立て具の装飾方法であって、
レース状のチュール部が前記帯部を覆うように前記台座部に巻装するチュール巻装工程を備えることを特徴とするペン立て具の装飾方法。
【請求項４】
請求項３に記載のペン立て具の装飾方法であって、
装飾品で構成されるティアラ部を前記チュール部上に装着するティアラ装着工程を備えることを特徴とするペン立て具の装飾方法。
【発明の詳細な説明】
【技術分野】
【０００１】
本発明は、ペン立て具の装飾方法に関する。
【背景技術】
【０００２】
従来、万年筆やボールペンなどを起立させた状態で保管するペン立て具が開発されている。本発明に関連する技術として、例えば、特許文献１には、纏に学術必勝、合格一番などの祈願文や寺社名紋章を表記又は祈願小札やお守りなどの装飾物を装着した纏が開示されている。
【先行技術文献】
【特許文献】
【０００３】
【特許文献１】実用新案登録第３０９０５７８号公報
【発明の概要】
【発明が解決しようとする課題】
【０００４】
従来、様々なペン立て具が開発されているが、これらのペン立て具は機能を重視する傾向にあるため、美的外観を重視しておらず装飾品としての役割を果たしていないという課題がある。
【０００５】
本発明の目的は、機能性を確保しつつ、美的外観に優れたペン立て具の装飾方法を提供することである。
【課題を解決するための手段】
【０００６】
本発明に係るペン立て具の装飾方法は、略半球状の台座部と、前記台座部の天井部に形成された凹部にペン先が挿入されて起立するペン部とを有するペン立て具の装飾方法であって、前記凹部を露出しつつ、プリーツ状の帯部が前記台座部を覆うように前記台座部に巻装する帯巻装工程を備えること特徴とする。
【０００７】
また、本発明に係るペン立て具の装飾方法において、起立する前記ペン部が挿入可能な貫通孔を有する筒部を装着する筒装着工程を備え、前記帯巻装工程は、前記帯部の上部を前記筒部に接着することが好ましい。
【０００８】
また、本発明に係るペン立て具の装飾方法であって、レース状のチュール部が前記帯部を覆うように前記台座部に巻装するチュール巻装工程を備えることが好ましい。
【０００９】
また、本発明に係るペン立て具の装飾方法であって、装飾品で構成されるティアラ部を前記チュール部上に装着するティアラ装着工程を備えることが好ましい。
【発明の効果】
【００１０】
本発明によれば、ペン先が挿入される凹部が露出した状態でプリーツ状の帯部が台座部を覆うように巻装される。これにより、機能性を確保しつつ、美的外観を優れたものにすることができるという効果がある。
【図面の簡単な説明】
【００１１】
【図１】本発明に係る実施形態のペン立て具の装飾方法により製造されたペン立て具を示す図である。
【図２】本発明に係る実施形態のペン立て具の装飾方法において、台座部に筒部を装着する工程を示す図である。
【図３】本発明に係る実施形態のペン立て具の装飾方法において、台座部に筒部を装着された後に帯部を巻装する工程を示す図である。
【図４】本発明に係る実施形態のペン立て具の装飾方法において、台座部に筒部と帯部を装着した後に、チュール部を巻装する工程を示す図である。
【発明を実施するための形態】
【００１２】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１３】
図１は、本発明に係る実施形態のペン立て具１０の装飾方法により製造されたペン立て具１０を示す図である。図２は、ペン立て具１０の装飾方法において、台座部１２に筒部２０を装着する工程を示す図である。
【００１４】
図３は、台座部１２に筒部２０を装着された後に帯部２２を巻装する工程を示す図である。図４は、台座部１２に筒部２０と帯部２２を装着した後に、チュール部２４を巻装する工程を示す図である。
【００１５】
ペン立て具１０は、台座部１２と、ペン部１４と、装飾部１８とを備えて構成される文房具である。ここで、台座部１２とペン部１４のみで構成されるペン立ては一般的なものとほぼ同じである。
【００１６】
台座部１２は、所定の直径（例えば、５ｃｍ）の球体を半分に切断したような略半球形状（ドーム形状）を有している。台座部１２の平坦底面は、ペン立て具１０の設置対象である床面に載置される。
【００１７】
台座部１２は、適度な強度を有する材質、例えば、樹脂や金属を用いて構成することができる。台座部１２の色は、適宜変更することが可能であるが、ここでは、白色であるものとして説明する。
【００１８】
台座部１２の天井部には、ペン部１４を挿入するための凹部１３が形成されている。凹部１３の上面視は、円形を有しており、その直径はペン部１４に合うように設定されており、ここでは（例えば、最大値が８ｍｍ）で設定する。
【００１９】
凹部１３は、図１に示されるように断面形状で見ると、ペン部１４のペン先の形状に沿った先細り形状となっている。これにより、ペン部１４のペン先が挿入されたときに、ペン先が動かないようにしっかりと保持することが出来る。
【００２０】
ペン部１４は、筒状を有する把持部とテーパー形状を有するペン先部とを有する筆記具である。ここでは、ペン部１４は、ボールペンであるものとして説明するが、もちろん、万年筆であってもよい。
【００２１】
ペン部１４の使用後は、ペン先を台座部１２の凹部１３に収納することにより、ペン先のインクが乾いてしまうことを防止することが出来る。また、台座部１２の天井部からペン部１４が上方に向かって延伸して起立することが出来る。
【００２２】
ペン部１４の直径は、様々な大きさに設定されるが、ここでは８ｍｍであるものとして説明する。また、ペン部１４の長さについても種々の長さに設定することが可能であるが、ここでは１７ｃｍであるものとして説明する。
【００２３】
装飾部１８は、筒部２０と、帯部２２と、チュール部２４と、ティアラ部２６とを備えている。本発明の実施形態に係る装飾方法を用いて装飾部１８を台座部１２に装着する。
【００２４】
筒部２０は、ペン部１４を台座部１２上に起立させるために、ペン部１４が挿入可能な貫通孔を有する筒部材である。貫通孔の直径はペン部１４よりも大きく設定されており、ここでは、１ｃｍであるものとして説明する。
【００２５】
筒部２０は、適度な強度を有するアクリル樹脂を用いて筒部材を構成するが、外周には、ポリエステルなどが巻装される。筒部２０は、光沢加工がされたポリエステルなどを用いることで、ドレスに見立てるのに適したものにすることが出来る。
【００２６】
帯部２２は、プリーツ加工が施された帯部材である。帯部２２は、例えば、ポリエステルなどで構成することが出来る。帯部２２は、光沢加工がされたポリエステルなどを用いることで、ドレスに見立てるのに適したものにすることが出来る。
【００２７】
帯部２２は、台座部１２を覆い隠すのに適した幅と長さに設定されており、例えば、幅を３ｃｍとし、長さを１２ｃｍに設定することが出来る。長さについては、１２ｃｍよりも長いものを用いて、巻装した後に切断するようにしてもよい。
【００２８】
チュール部２４は、レース加工が施された部材であり、帯部２２を覆うように台座部１２に巻装される部材である。チュール部２４は、ドレスに見立てるのに適した装飾が施され、例えば、基本の色に加えて、金色などが適宜施されていることが好ましい。
【００２９】
チュール部２４は、帯部２２を覆い隠すのに適した幅と長さに設定されており、例えば、幅を４ｃｍとし、長さを１５ｃｍに設定することが出来る。長さについては、１５ｃｍよりも長いものを用いて、巻装した後に切断するようにしてもよい。
【００３０】
ティアラ部２６は、頭頂部に装着する装飾品のミニチュアであり、王冠のような形状を有している。ティアラ部２６は、正面部には、ダイヤモンドのような宝飾具があり、側面部には頭頂部に沿った円弧状の装飾具が設けられている。
【００３１】
続いて、ペン立て具１０の装飾方法の作用について説明する。最初に台座部１２からペン部１４を取り外した状態にする。
【００３２】
次に、図２に示されるように、ペン部１４が台座部１２の凹部１３に挿入可能なように上面視で凹部１３が露出した状態となるように凹部１３と筒部２０とを重なり合わせる。この状態で、グルーガン装置７（図３参照）を用いて筒部２０を台座部１２に接着する。
【００３３】
ここで、グルーガン装置７は、アルミダイキャスト製の本体部にヒーターを取り付けて加熱し、本体部の中に挿入されたグルースティックを溶かすための装置である。グルースティックの後の固い部分を持って押すと、溶けたグルーが先端部から出ていくように構成されている。
【００３４】
グルースティックは、円柱状のホットメルト型接着剤であり、高温で加熱するとドロドロに溶け、冷えると元の固形状になる。グルースティックは、おもちゃ、段ボール箱、自動車部品、電機部品、木工品などの組み立てなどに使用されている接着剤である。
【００３５】
筒部２０の底面にグルースティックを溶かした接着剤を塗布し、台座部１２に起立するように接着する。
【００３６】
その後、図３に示されるように、プリーツ状の帯部２２が台座部１２を覆うように台座部１２に巻装する。このとき、帯部２２の上端部にグルースティックを溶かした接着剤を塗布し、帯部２２の上端部を筒部２０に接着する。帯部２２は、ポリエステルで構成されているため、外周側に向けてぴんと張った状態にすることが出来る。
【００３７】
次いで、レース状のチュール部２４が帯部２２上に載置され、帯部２２覆うように台座部１２に巻装する。チュール部２４の上端部にグルースティックを溶かした接着剤を塗布し、帯部２２ないし筒部２０に接着する。
【００３８】
最後に、ティアラ部２６をチュール部２４上に装着する。このとき、ティアラ部２６の底面にグルースティックを溶かした接着剤を塗布し、チュール部２４に接着する。これらの工程を経て図１（ｂ）に示されるようにペン立て具１０が完成する。
【００３９】
台座部１２は、ドーム形状を有しており、帯部２２とチュール部２４はドーム形状に沿って巻装されているため、ドレスのスカート部のように膨らむように見える。また、中央部には、筒部２０が起立しており、ドレスの胴部のような印象を与えることができる。
【００４０】
さらに、ティアラ部２６を装着することで、王女がドレスを着ているかのような印象を与えることができ美的外観に優れたペン立て具１０に仕上げることが出来る。このように本発明の実施形態のペン立て具１０の装飾方法によれば、ペン部１４を台座部１２の凹部１３に挿入して起立させる機能を確保しつつ、美的外観に優れたペン立て具１０を作ることができるという利点がある。
【００４１】
また、上記ペン立て具１０では、ティアラ部２６を装着するものとして説明したが、例えば、ティアラ部２６の代わりに図１（ｃ）に示されるように薔薇のミニチュアを装着してもよい。また、好みに応じて筒部２０を配置することなく、帯部２２とチュール部２４のみを台座部１２に巻装してもよい。
【符号の説明】
【００４２】
７  グルーガン装置、１０  ペン立て具、１２  台座部、１３  凹部、１４  ペン部、１８  装飾部、２０  筒部、２２  帯部、２４  チュール部、２６  ティアラ部。
【図１】
2019217710.tif 000003
【図２】
2019217710.tif 000004
【図３】
2019217710.tif 000005
【図４】
2019217710.tif 000006